(57)【特許請求の範囲】
【請求項１】
天蓋と底板と側壁とで構成されるダンボール製包装用容器において、
該ダンボール製包装容器は、外箱部と内箱部とより成り、前記天蓋と側壁又は底板と側壁との境界の横方向の折り曲げ線に沿って、一定以上の力で破断する破断部を設け、
該破断部両端に位置する前記内箱部の両側壁部が、前記外箱部の両端に位置する２つの側壁部の間にそれぞれ嵌め込んで組み立てられ、前記破断部を破断することにより平面シート状に展開可能にしたことを特徴とするダンボール製包装容器。
【請求項２】
破断部は、一定以上の力で破断する所定のピッチで切込を入れた破断部であることを特徴とする請求項１に記載のダンボール製包装用容器。
【請求項３】
前記天蓋と側壁又は底板と側壁との境界の折り曲げ線に沿って設けた破断部の途中に、該破断部を破断する力よりも弱い力で破断する破断部を設けた押しタブを形成したことを特徴とする請求項１又は請求項２に記載のダンボール製包装用容器。
【発明の詳細な説明】
【０００１】
【発明の属する技術分野】
この発明は、電気製品や家庭日用製品等を収納するダンボール製の包装用容器、特に、使用後廃棄処分や再利用のため回収する際には、カッターを使用することなく、また、大きな力を加えることなく簡単に平面シート状に展開することの出来るダンボール製包装用容器に関する。
【０００２】
【従来の技術】
工場で生産した電気製品や家庭日用品等その他の製品（商品）を、販売店や倉庫等へ運搬する場合、これらの製品を包装用容器に梱包して出荷するが、包装用容器としてはダンボール製の包装用容器が多く用いられる。そして製品を取り出した後の使用済のダンボール箱は廃棄するか、資源の有効利用のため回収され、再利用されるが、箱状のままでは嵩張るので、通常は、包装用容器の一部を破るか、或いは折り目にカッター等を入れて破断し、平面シート状にしてから処分する。
【０００３】
従来から使用されるダンボール製包装用容器は、商品を取り出すときには、取り出しやすく、そして廃棄処分や回収の際には平面シート状に容易に展開できるように工夫されたものが提案されている。
例えば、側壁（１ａ，１ｂ，１ｃ，１ｄ）と底部（符号無し）から成る収納部１と、第１の蓋体２と、第２の蓋体３と、からなる包装容器であって、前記収納部１に商品を入れてから第１の蓋体２で覆い、且つ更にミシン線５を設けた第２の蓋体３で第１の蓋体２を覆い、開封時に第２の蓋体３のミシン線５を破るだけで商品を取り出すと共に、簡単に平面シート状に展開できるようにした包装容器（実開昭４８−３９２３６号）、或いは、箱蓋部５の対向するふたつの折曲端をおのおの底辺として互いに向かい合うふたつの台形状のミシン目（２１，２２）を前記箱蓋部５に形成し、少なくともこのふたつの台形状ミシン目の上辺間に延びるテイアーテープ２３を前記箱蓋部５の内壁に貼着するとともに、前記上辺部分の各々に、前記テイアーテープ２３を引き起こすための切溝２５を形成し、該テイアーテープ２３を引き起こすことにより箱蓋部５を破り、次いで前記ミシン目（２１，２２）を破り、簡単に平面シート状に展開できるようにしたもの（実開昭５１−１４１６２８号）、或いはダンボール箱２０を上蓋２１と下蓋２４とで構成し、下蓋２４の側壁２６と該側壁２６につらなり、上蓋の端壁２３と接合させる接合辺２７との折り目に縦方向に開封線３１を設けたもの（実開平１−８５２２０号）等が提案されている。なお、包装用容器を開封する際、開封しやすいように、容器の側壁の一部に持ち上げタブ３０を設け、該タブ３０を押して一部を破断させ、開封するように構成したものも提案されている（特開昭５２−１２０８４号）。
【発明が解決しようとする課題】
【０００４】
従来のダンボール製包装用容器は、開封後の箱体を平面シート状にする場合折り目を破断するのにかなりの力を要し、或いはカッターを必要とする。また、上記するように、最近の包装用容器は、使用後廃棄処分したり、再利用する場合でも、運搬しやすくするため、箱体から平面シート状となるように容易に縮小梱包できるようになっている。しかし、包装用容器の天蓋のような平面部に破断用のミシン目状の切込みを設けると、上に他の物体が載った場合、容易にこれらの物体の重さで破断しやすい。また、開封時ミシン目に沿って破断するとは限らず、このように、ミシン目に沿って破断しないと、逆に開封しにくくなる。更に、折り目に沿って縦方向に破断用の開封線を設ける場合には、１箇所設けるだけでは開封時容易に開封しにくいので、４箇所とも設けなければならない。また、開封時、４箇所ともミシン目にそって破断しなければならないので、開封作業がしにくいという問題がある。
【０００５】
この発明は、上記する課題に対処するためになされたものであり、通常の商品の梱包時あるいは運搬時には容易に破断せず、開封時に少し大きな力を加えると破断し、余分に大きな力を加えたり、カッター等の道具を使用することなく、開封することが可能で、しかも後の廃棄や再利用時に際して容易に平面シート状に展開することのできる包装用容器を提供することを目的としている。
【課題を解決するための手段】
【０００６】
即ち、この発明は、上記する課題を解決するために、請求項１に記載の発明は、天蓋（１０）と底板（１１）と側壁（１２、１３、１４、２２、２５、２６）とで構成されるダンボール製包装用容器において、
該ダンボール製包装容器は、外箱部（１）と内箱部（２）とより成り、前記天蓋（１０）と側壁（１２）又は底板（１１）と側壁（１２）との境界の横方向の折り曲げ線（５）に沿って、一定以上の力で破断する破断部（３）を設け、
該破断部（３）両端に位置する前記内箱部（２）の両側壁部（２５、２６）が、前記外箱部（１）の両端に位置する２つの側壁部（１３、１４）の間にそれぞれ嵌め込んで組み立てられ、前記破断部（３）を破断することにより平面シート状に展開可能にしたことを特徴とするダンボール製包装容器。
【０００７】
また、請求項２に記載の発明は、前記破断部（３）は、所定のピッチで切込を入れた破断部であることを特徴としている。
【０００８】
また、請求項３に記載の発明は、前記天蓋（１０）と側壁（２２）又は底板（１１）と側壁（２２）との境界の折り曲げ線（５）に沿って設けた破断部（３）の途中に、該破断部（３）を破断する力よりも弱い力で破断する破断部（７）を設けた押しタブ（６）を形成したことを特徴としている。
【発明の実施の形態】
【０００９】
以下、この発明の具体的実施の形態について図面を参照しながら説明する。
図１は、この発明のダンボール製包装用容器の全体斜視図、図２は、この包装用容器の平面状にした展開図である。
この実施の形態のダンボール製包装用容器は、外箱部１と、内箱部２とより成り、これらの外箱部１と内箱部２とは、所定のピッチで切込４を入れた破断部３を介して連接され、折り曲げ線５で折って組み立てるようになっている。即ち、この破断部３の切込４は、後述するように、天蓋部（１０）と側壁部（２２）との境界に設けた横方向の折り曲げ線５に沿って設けてある。また、破断部３の途中には、破断部部７を設けた半円状の押しタブ６が形成されている。
【００１０】
前記ダンボール製包装用容器の外箱部１は、図２に示すように、第１天蓋部１０と、第１底板部１１と、これら第１天蓋部１０と第１底板部１１とをつなぐ第１側壁部１２と、該第１側壁部１２の両側に連設した第２側壁部１３及び第３側壁部１４と、で構成されている。更に、前記第２側壁１３には、第２天蓋部１５と折り曲げ線８を入れた第５側壁部１６が、前記第３側壁１４には、第３天蓋部１７と第６側壁部１８が、それぞれ設けられている。
【００１１】
次に、前記ダンボール製包装用容器の内箱部２は、図２に示すように、第２底板２１と、第４側壁２２と、前記第２底板部２１の両側に連設した第３底板部２３と、第４底板部２４と、前記第４側壁２２の両側に連設した第７側壁部２５及び第８側壁部２６と、で構成されている。この場合、前記第３底板部２３と第４底板部２４とは、組立状態では、折り曲げられて前記第１底板部１１と第２底板２１との間に積層される。これら第１底板部１１と第２底板部２１の間に層状に配置される第３底板部２３と第４底板部２４は、第１底板１１及び第２底板部２１と相まって中にいれた商品のクッションの役目を果たすものである。
【００１２】
図３は、この外箱部１と内箱部２の組み立て途中の斜視図である。
上記構成から成るこのダンボール製包装用容器においては、組立手順はつぎのようにして行う。尚、このダンボール製包装用容器の構成を分かりやすくするため、外箱部１と内箱部２とは、破断部３で分離した状態で図示して説明する。即ち、外箱部１は、第１底板部１１を内側へ折り曲げ、第２側壁部１３に連設した第２天蓋部１５と第５側壁部１６、及び第第３側壁部１４に連設した第３天蓋部１７と第６側壁部１８も内側へ折り曲げ、それぞれ第１天蓋部１０と第１底板部１１の内側へ折り曲げる。
【００１３】
また、内箱部２は、第２底板部２１の両側に連設した第３底板部２３と第４底板部２４とを外側へ折り曲げ、第４側壁部２２の両側に連設した第７側壁部２５と第８側壁部２６は、内側へ折り曲げる。そして、第７側壁部２５は、第２側壁部１３と第５側壁部１６との間に入るように、第８側壁部２６は、第３側壁部１４と第６側壁部１８との間に入るように、また、第３底板部２３と第４底板部２４は、前記第１底板部１１と第２底板部２１との間に位置するように、それぞれ嵌め入れる。
【００１４】
図１〜図２に示すように、第１天蓋部１０と、第４側壁部２２との間の折り曲げ線５に沿っては、一定のピッチで切込４を入れた破断部３と、破断部７を設けた半円状の押しタブ６が形成されている。そして、前記押しタブ６は、第１天蓋部１０側に、設けてあるが、この押しタブ６は、第４側壁部２２側に設けても良い。次に、前記切込４を設けた破断部３は、若干大きな一定値以上の力を加えないと破れない程の強度をもつような破断部としてある。しかし、前記押しタブ６の破断部７は、前記破断部３を破断するのに要する力よりも比較的小さな指の力でも破断させることが可能にしてある。図４（Ａ）乃至（Ｅ）は、開封時このダンボール製包装用容器を破断部３で破断し、平面シート状に展開する場合の開封状況を示す。この図に示すように、開封始めには押しタブ６を押して破断部７で破断し（図４（Ａ））、折り目５に設けた破断部３も、少し力を入れるだけで破断し、順次解体されて（図４（Ｂ）〜図４（Ｄ））、最終的には平面シート状となる（図４（Ｅ））。
【００１５】
図５は、前記切込４を設けた破断部３の一部拡大図である。この実施の形態では、破断部３の切込４は、破断した時の形が山形状（鋸状）となるようにしてあり、且つ天蓋部１０と、第４側壁部２２との境界の横方向の折り曲げ線５に沿って設けてある。この場合の横方向とは、包装される物品が本来収納されるべき上下方向に置いたとき、その横方向をいう。この実施の形態での実際の寸法で示すと、この破断部３の切込４の半山形のピッチｐは２０ｍｍ、半山形の高さｈは５ｍｍであって、直線部４ａと山の片側４ｂに当初から切込４を入れて破断させ、山のもう一方の片側４ｃは、第１の天蓋部１０と第４側壁部２２とが連続するよう切込みを入れない状態としてある。
【００１６】
尚、この実施の形態の破断部３の切込４は、図６（Ａ）に示すように、折り曲げ線５に沿って切込４の半山形が、第１の天蓋部１０と第４側壁部２２とにかかるように、設けてあるが、切込４は半山形に限らず、図６（Ｂ）に示すように、所定ピッチの半台形状の切込４としてもよいし、図６（Ｃ）に示すように、半円状の切込４としても良いし、図６（Ｄ）に示すように、ミシン目状の切込４としても良い。要するに、通常の梱包時には簡単に破断せず、開封時に一定以上の力を加えて初めて破断するような破断部であれば良い。
また、この発明の実施の形態では、外箱１と内箱２とより成るダンボール製の包装用容器で説明したが、これに限らず、ダンボール製の包装用容器では広く応用することが可能である。
【発明の効果】
【００１７】
以上詳述したように、この発明のダンボール製包装用容器によれば、開封時大きな力やカッター等の道具を使用することなく、開封することができる。特に、梱包時や運搬時に際しては破れにくく、開封時に作業者の力で容易に開封することができる。このダンボール製包装用容器は、破断部を人の手で破断するだけで容易に平面シート状に展開することができる。従って、使用した後の廃棄処分や再利用に際して、作業処理時間を短縮化したり、労力を軽減することができる。
【図面の簡単な説明】
【図１】  この発明のダンボール製包装用容器の全体斜視図である。
【図２】  この発明のダンボール製包装用容器の平面シート状の形で示した展開図である。
【図３】  この発明のダンボール製包装用容器の外箱部と内箱部の組み立て途中の斜視図である。
【図４】      図４（Ａ）乃至図４（Ｅ）は、この発明のダンボール製包装用容器を、解体し初めてから最終的に平面シート状とするまでの工程を示す図である。
【図５】  この発明のダンボール製包装用容器の破断部の一部拡大図である。
【図６】  この発明のダンボール製包装用容器の破断部の切込の形状例を示し、図６（Ａ）は、破断部の切込の形状が半山形である場合、図６（Ｂ）は、破断部の切込の形状が半台形である場合、図６（Ｃ）は、破断部の切込の形状が半円状である場合、図６（Ｄ）は、破断部の切込の形状がミシン目状である場合を示す。
【符号の説明】
１    外箱部
１０  第１天蓋部
１１  底板部
２    内箱部
２１  底板部
２２  第４側壁
３    破断部
４    切込
５    折り目
６    押しタブ
７    破断部
【図１】
0004683444.tif 000002
【図２】
0004683444.tif 000003
【図３】
0004683444.tif 000004
【図４】
0004683444.tif 000005
【図５】
0004683444.tif 000006
【図６】
0004683444.tif 000007